【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
管状加工部品のための溶接システムであって、
溶接機電源であって、該溶接機電源は、溶接動作中に電力を提供するための軌道溶接ヘッドに接続可能である、溶接機電源と、
パージガスのための少なくとも１つの自動流量制御部であって、該自動流量制御部は、パージガスの供給源に接続可能な入口と、該軌道溶接ヘッド内の管状加工部品に対する溶接部位の外径領域にパージガスの流れを提供するための出口とを有し、該自動流量制御部は、溶接動作中に該溶接部位の該外径領域への該パージガスの流量を制御する、少なくとも１つの自動流量制御部と
を備える、溶接システム。
【請求項２】
十分なパージガスの流れが前記溶接部位に存在する場合にのみ、前記溶接機電源の動作を可能にする制御システムを備える、請求項１に記載のシステム。
【請求項３】
自動ＯＤパージ制御部を備え、該自動ＯＤパージ制御部は、溶接動作前の増加したパージ流量と、溶接動作中の減少したパージ流量と、溶接動作後の増加したパージ流量とを含む動的パージ流量順序を実行する、請求項１に記載のシステム。
【請求項４】
前記自動流量制御部は、質量流量制御器を備える、請求項１に記載のシステム。
【請求項５】
溶接動作中に所定のＩＤパージガス圧力を維持する自動ＩＤパージ制御部を備え、該ＩＤパージ制御部は、ＩＤ圧力を検出する圧力センサを備え、該ＩＤパージ制御部は、溶接動作中に所望のＩＤ圧力を維持するために、前記軌道溶接ヘッド内の管状加工部品に対する溶接部位において、内径領域に対するパージガスの流量を調節する、請求項１に記載のシステム。
【請求項６】
前記溶接機電源は、前記自動流量制御部出口から前記軌道溶接ヘッドまでのパージガスの流れを感知することによって、パージガスが存在することの確認がない場合には、溶接動作のための電力を提供することが阻止される、請求項１に記載のシステム。
【請求項７】
前記自動ＩＤパージ制御部は、前記溶接部位におけるパージガス圧力を制御するために、管状加工部品に対する該溶接部位における前記内径領域へのパージガスの流量を調節する、請求項５に記載のシステム。
【請求項８】
前記自動ＩＤパージ制御部は、質量流量制御器を備える、請求項５に記載のシステム。
【請求項９】
軌道溶接機を備え、該軌道溶接機は、前記溶接機電源と、パージガスに対する前記少なくとも１つの自動流量制御部と共に動作可能である、請求項１に記載のシステム。
【請求項１０】
自動ＯＤパージ制御部と自動ＩＤパージ制御部とを備える、請求項１に記載のシステム。
【請求項１１】
軌道溶接機内の管状加工部品の前記溶接部位に対するＩＤパージガス流量およびＯＤパージガス流量の一方または両方を調節するための制御システムを備える、請求項１に記載のシステム。
【請求項１２】
パージ動作中の前記内径領域内の前記パージガスの圧力を検出するための圧力センサを含む制御システムを備え、該制御システムは、溶接動作中に所定のＩＤ圧力を維持するために該検出された圧力に基づいてパージガスの流量を調節する、請求項７に記載のシステム。
【請求項１３】
前記ＩＤパージ制御部は、質量流量制御器を備える、請求項１２に記載のシステム。
【請求項１４】
管状加工部品のための溶接システムであって、
軌道溶接ヘッドと、
溶接機電源であって、該溶接機電源は、溶接動作中に電力を提供するために、該軌道溶接ヘッドに接続可能である、溶接機電源と、
パージガスのための第１の自動流量制御部と、
パージガスのための該第１の自動流量制御部に連結された、該軌道溶接ヘッド内の管状加工部品のための溶接部位の外径領域へのパージガスの流量を制御するための制御システムと
を備え、
該制御システムは、該溶接部位の内径領域へのパージガスの流量を制御するためのパージガスのための第２の自動流量制御部に連結され、該制御システムは、溶接動作中に、該内径領域において所定の圧力を維持するために、該内径領域へのパージガスの流量を調節する、溶接システム。
【請求項１５】
前記電源と前記少なくとも１つの自動流量制御部と前記制御システムとを囲む筐体を備え、前記溶接システムは、手で搬送可能である、請求項１４に記載のシステム。
【請求項１６】
前記制御システムは前記溶接機電源に連結され、パージ動作が開始するまで溶接動作を阻止する、請求項１４に記載のシステム。
【請求項１７】
溶接動作中にパージを制御する方法であって、
軌道溶接機を用いて端と端とを当接した管状加工部品において突き合わせ溶接を行うことと、
溶接動作中に、溶接部位における外径領域に、パージガスに対する流量プロファイルを適用することと
を包含し、
該流量プロファイルは、少なくとも、溶接動作が開始する前の第１の流量と、溶接動作中の第２の流量であって、該第２の流量は該第１の流量より小さい、第２の流量と、溶接動作が終了した後の第３の流量であって、該第３の流量は、該第２の流量よりも大きい、第３の流量とを含む、方法。
【請求項１８】
前記流量プロファイルを提供するステップは、電子的な自動パージ制御を用いることを含む、請求項１７に記載の方法。
【請求項１９】
溶接動作は、パージガスが前記溶接部位に流れ込むまで自動的に阻止される、請求項１８に記載の方法。
【請求項２０】
前記流量プロファイルを適用するステップは、質量流量制御器を用いることを含む、請求項１８に記載の方法。
【請求項２１】
前記筐体は、手で握ることが可能なハンドルを備える、請求項１４に記載のシステム。
【請求項２２】
パージガスのための前記第１および第２の自動流量制御部は、質量流量制御器を備える、請求項１４に記載のシステム。
【請求項２３】
パージガスは、流路に沿って前記内径領域まで流れ、該流路は、該流路に沿った流動抵抗を含む、請求項１４に記載のシステム。
【手続補正２】
【補正対象書類名】明細書
【補正対象項目名】０００８
【補正方法】変更
【補正の内容】
【０００８】
本明細書の開示および発明の、これらおよびその他の局面ならびに利点は、添付の図面を参照して、以下の詳細な説明を読むことによって容易に理解され認識される。
例えば、本発明は以下の項目を提供する。
（項目１）
制御システムと、
パージガスのための少なくとも１つの自動流量制御設備であって、該流量制御設備は、該制御システムに動作可能に関連付けられ、該制御システムは、溶接作業中に溶接部位へのパージガスの流量を制御するために、該少なくとも１つの自動流量制御の動作を制御する、自動流量制御設備と、
を備える、アーク溶接機のためのパージシステム。
（項目２）
上記溶接機は、軌道溶接機を備える、項目１に記載のシステム。
（項目３）
上記制御システムは、溶接作業前の増加したパージ流量と、溶接作業中の減少したパージ流量と、溶接作業後の増加したパージ流量とを含む、動的パージ流量順序を実行する、項目１に記載のシステム。
（項目４）
上記自動流量制御設備は、質量流量制御器を備える、項目１に記載のシステム。
（項目５）
上記少なくとも１つの自動流量制御設備は、ＩＤパージ制御のための第１の質量流量制御器と、ＯＤパージ制御のための第２の質量流量制御器との、２つの質量流量制御器を備える、項目１に記載のシステム。
（項目６）
上記制御システムは、上記溶接機へのパージガスの流れを感知することによって、パージ作業が開始したことを確認していない場合には、溶接作業を抑止する、項目１に記載のシステム。
（項目７）
上記制御システムは、溶接作業中に上記溶接部位での圧力を維持するように流量を調節する、動的パージ流量操作を実行する、項目１に記載のシステム。
（項目８）
上記制御システムは、上記自動流量制御設備のための質量流量制御器を使用することによって、上記流量を制御する、項目１に記載のシステム。
（項目９）
制御システムと、
質量流量制御器と、
を備える、溶接システムのパージ制御のための装置であって、
該質量流量制御器は、溶接作業中に、パージガスを受け入れる入口と、パージガスを溶接部位に提供する出口と、を備え、
該制御システムは、溶接作業中に、該溶接部位へのパージガスの流れを調節する、
装置。
（項目１０）
上記制御システムは、管状加工部品の溶接部位における外径領域へのパージガスの流量を調節する、項目９に記載の装置。
（項目１１）
上記制御システムは、上記溶接部位でのパージガス圧力を制御するために、管状加工部品の溶接部位における内径領域へのパージガスの流量を調節する、項目９に記載の装置。
（項目１２）
上記制御システムは、軌道溶接機の溶接部位へのＩＤ流量およびＯＤ流量の一方または両方を調節する、項目９に記載の装置。
（項目１３）
パージ作業中に上記パージガスの圧力を検出する圧力センサを備える、項目９に記載の装置であって、
上記制御システムは、該検出された圧力に基づいて、上記質量流量制御器からのパージガスの流量を調節する、
装置。
（項目１４）
溶接電源と、
少なくとも１つの質量流量制御器と、
該質量流量制御器からのパージガスの流量を制御するために、該質量流量制御器に動作可能に連結される、制御システムと、
該電源、該少なくとも１つの質量流量制御器、および該制御システムを囲む、筺体と、
を備える、溶接システム。
（項目１５）
上記筺体は、手で握ることができるハンドルを備え、該筺体は、上記システムの可搬性を提供する、項目１４に記載のシステム。
（項目１６）
上記制御システムは、上記電源に動作可能に連結され、パージ作業が開始するまで溶接作業を抑止する、項目１４に記載のシステム。
（項目１７）
溶接作業を実施するステップと、
溶接作業中に、溶接部位へのパージガスに対する流量プロファイルを適用するステップと、
を包含する、溶接作業中にパージを制御するための方法であって、
該流量プロファイルは、少なくとも、溶接作業が開始する前のより高い流量と、溶接作業中のより低い流量と、溶接作業が終了した後のより高い流量と、を備える、
方法。
（項目１８）
端と端とを突き合わせた円筒形加工部品において、溶接作業を実施するステップと、
溶接作業中に、溶接部位へのＩＤパージガスに対する流量プロファイルを適用するステップと、
を包含する、溶接作業中にパージを制御するための方法であって
該流量プロファイルは、該溶接作業中にＩＤパージガス圧力が変化するにつれて、溶接作業中に流量を調節するステップを備える、
方法。
（項目１９）
流量を調節する上記ステップは、電子的に行われる、項目１８に記載の方法。
（項目２０）
流量を調節する上記ステップは、質量流量制御器を使用して行われる、項目１８に記載の方法。